(57)【要約】【課題】遊技機の多様化に対し、電力供給に関する柔軟な対応が可能な遊技機を提供する。【解決手段】パチンコ機１は、前面枠３の後側に遊技盤５を備えている。この遊技盤５には、多数の釘が植設されると共に、普通入賞チャッカー１１、可変入賞装置１２、作動チャッカー１３、可変表示装置１４、スルーチャッカー１５等が配設されている。そして、パチンコ機１では、各種制御基板により、チャッカー１１〜１３への入球に基づく賞球の払い出し制御、遊技球Ｂの発射制御、可変表示装置１４の液晶表示部２０における図柄の表示制御、効果音などの音声出力制御、ランプ１８の点灯制御などが行われる。このとき、各種制御基板への電力供給を、個別に交換可能な複数系統の電力供給機構で行う。【選択図】　　　　　図１
2004105535.tif 000002
【特許請求の範囲】
【請求項１】
遊技に係る各種制御対象の制御を行う複数の制御手段を備えた遊技機において、
前記制御手段や前記制御対象へ電力供給を行うための、複数系統の電力供給機構を備えていることを特徴とする遊技機。
【発明の詳細な説明】
【０００１】
【発明の属する技術分野】
本発明は、パチンコ機等の遊技機に関するものである。
【０００２】
【従来の技術】
従来より、例えばパチンコ遊技等の遊技機には、制御対象を制御するための複数の制御基板が取り付けられている。そして、これらの制御基板やその制御対象に対して、電力の供給を行う電力供給機構を備えている（例えば、特許文献１参照）。
【０００３】
【特許文献１】
特開２００１−２５９１３１号公報
【０００４】
【発明が解決しようとする課題】
しかしながら、近年、遊技機が多様化している現状がある。その一例が、バックアップ機能の付加、あるいは、液晶画面などの大型化などである。そのため、従来の電力供給機構の構成にあっては、各部の使用電力量などをはじめとして、多様化する遊技機への柔軟な対応が困難になることがあった。
【０００５】
なお、このような問題は、パチンコ遊技機に限られず、スロットマシンなどを含む遊技機一般に内在する。
【０００６】
本発明は、上述した問題点を解決するためになされたものであり、遊技機の多様化に対し、電力供給に関する柔軟な対応が可能な遊技機を提供することを目的とする。
【０００７】
【課題を解決するための手段及び発明の効果】
上記の目的を達成するために有効な手段を以下に示す。なお、必要に応じてその作用等についても説明する。
【０００８】
手段１．遊技に係る各種制御対象の制御を行う複数の制御手段を備えた遊技機において、
前記制御手段や前記制御対象へ電力供給を行うための、複数系統の電力供給機構を備えていることを特徴とする遊技機。
【０００９】
手段１によれば、複数系統の電力供給機構を備えているため、これらを個別に取り扱えることになり、遊技機の多様化に対し、電力供給に関する柔軟な対応が可能となる。
【００１０】
手段２．遊技に係る各種制御対象の制御を行う複数の制御手段を備えた遊技機において、
前記制御手段や前記制御対象へ電力供給を行うための、個別に交換可能な複数系統の電力供給機構を備えていることを特徴とする遊技機。
【００１１】
手段２によれば、複数系統の電力供給機構が個別に交換可能となっているため、その取り扱いが容易になり、遊技機の多様化に対し、電力供給に関する柔軟な対応が可能となる。
【００１２】
手段３．手段１又は２において、前記電力供給機構は、前記制御手段へ電力供給を行い、前記制御手段から前記制御対象へ電力供給が行われることを特徴とする遊技機。
【００１３】
手段４．手段１乃至３のいずれかにおいて、前記複数系統の電力供給機構は、第１電力供給手段と、第２電力供給手段とで構成されていることを特徴とする遊技機。
【００１４】
手段４によれば、複数系統の電力供給機構が、第１電力供給手段と、第２電力供給手段とで構成されているため、両手段を個別に取り扱える。
【００１５】
手段５．手段４において、前記第１及び第２電力供給手段のうちの一方が、バックアップ電源を備えており、少なくともデータのバックアップが必要となる制御手段への電力供給を行うことを特徴とする遊技機。
【００１６】
手段５によれば、各電力供給手段のうちの一方が、バックアップ電源を備えており、少なくともデータのバックアップが必要となる制御手段への電力供給を行う。バックアップ電源を備える電力供給機構は例えば設計が困難であることや、大型化・コストアップ等が問題となっている。この点、一方の電力供給手段がバックアップ電源を備えるようにすれば、他方の電力供給手段については、設計が容易になる。また、他方の電力供給手段は、バックアップ電源を備える場合に比べてコンパクトになり、コストも抑えられる。つまり、バックアップ電源を一方の電力供給手段のみが備える構成とすれば、種々の面でメリットが得られるのである。
【００１７】
手段６．手段４又は５において、各電力供給手段のうちの一方が、遊技内容によって制御を異にする制御手段への電力供給を行うことを特徴とする遊技機。
【００１８】
遊技内容によって制御を異にする制御手段は、遊技内容の変更時に交換される可能性が高い。この点、手段６によれば、各電力供給手段のうちの一方が遊技内容によって制御を異にする制御手段への電力供給を行うため、当該制御手段と共に一方の電力供給手段を取り扱うことができ、柔軟な対応が可能になる。
【００１９】
手段７．手段６において、外形状の少なくとも一部を構成する外体と、当該外体に対して交換可能に構成された内体とを備えており、前記遊技内容によって制御を異にする制御手段への電力供給を行う一方の電力供給手段は、前記内体に取り付けられていることを特徴とする遊技機。
【００２０】
ここでいう内体は、遊技内容を導出するための主たる部分を備えるものであることが一例として考えられる。手段７によれば、上述した一方の電力供給機構が内体に取り付けられているため、実際の交換作業も容易になる。
【００２１】
手段８．遊技に係る各種制御対象の制御を行う複数の制御手段を備えた遊技機において、
前記制御手段における使用電力が前記制御対象に依存して決定されることを前提に、当該制御対象の交換を考慮して、個別に交換可能な複数系統の電力供給機構により、前記制御手段や前記制御対象への電力供給を行うよう構成されていることを特徴とする遊技機。
【００２２】
手段８によれば、制御手段による制御対象が交換されることを考慮して、制御手段へ、個別に交換可能な複数系統の電力供給機構にて、電力供給を行うようになっている。
【００２３】
ここでは、制御手段における使用電力が制御対象に依存して決定されることを前提としている。制御対象には例えば液晶表示装置やランプが含まれ、液晶表示装置が４インチから８インチになった場合、あるいは、ランプの個数が増加した場合、制御手段における使用電力が大きくなることがある。
【００２４】
したがって、制御対象の交換を考慮して個別に交換可能な複数系統の電力供給機構で電力供給を行うように構成すれば、使用電力との間に不一致を生じた電力供給系統のみを交換することができ、複数の制御手段のうちの一部の制御手段を交換しても、柔軟な対応が可能になる。
【００２５】
なお、このような制御対象の交換は、一例として、別の遊技内容を導出するための遊技盤の交換に伴ってなされることが知られている。そこで、遊技盤を備えるような遊技機に対しては、より具体的には、以下に示すような構成を採用することが考えられる。
【００２６】
手段９．遊技に係る各種制御対象の制御を行う複数の制御手段を備えた遊技機において、
前記遊技機は、遊技領域を有する遊技盤を交換可能に構成されており、
前記制御手段のうちで前記遊技盤と共に交換される制御手段への電力供給を行う第１電力供給手段と、
前記制御手段のうちで前記遊技盤と共に交換されない制御手段への電力供給を行う第２電力供給手段とを備えていることを特徴とする遊技機。
【００２７】
手段９によれば、第１電力供給手段が、遊技盤と共に交換される制御手段への電力供給を行い、一方、第２電力供給手段が、遊技盤と共に交換されない制御手段への電力供給を行う。
【００２８】
遊技盤と共に交換される制御手段は、その制御対象が遊技盤と共に変更されることが多く、交換後には使用電力と供給電力との間に不一致が生じる可能性が高い。この点、上述の構成によれば、第１電力供給手段のみの交換によって使用電力と供給電力との間の不一致をなくすことができ、第２電力供給手段は遊技盤の交換時に交換する必要がないため、柔軟な対応が可能になる。その結果、複数の制御手段のうちの一部の制御手段が遊技盤と共に交換されても、経済的不利益が少なくなる。
【００２９】
手段１０．手段９において、前記遊技盤と共に交換される制御手段であっても、使用電力がほぼ一定となる制御手段に対しては、前記第２電力供給手段が、電力供給を行うよう構成されていることを特徴とする遊技機。
【００３０】
手段９における技術思想は、遊技盤と共に交換される制御手段にあっては、制御対象の変更に伴って使用電力が変更されることが多いという事実を前提にしている。したがって、使用電力が制御対象によらずほぼ一定となる制御手段に対しては、手段１０に示すように、第２電力供給手段から電力供給を行うように構成してもよい。手段１０によれば、一層、遊技盤の交換に伴う経済的不利益を少なくすることができる。
【００３１】
手段１１．手段９又は１０において、前記第１及び第２電力供給手段のそれぞれが、電源に接続されており、当該電源から電力を供給するよう構成されていることを特徴とする遊技機。
【００３２】
手段１１によれば、前記第１及び第２電力供給手段のそれぞれが電源に接続されているため、電源プラグやコードを含めた電源ユニットの単位で電力供給手段が構成されるため、電力供給手段間の電力分配を考慮する必要がなく、その意味で設計が簡単になるという点で有利である。
【００３３】
手段１２．手段９又は１０において、前記第１及び第２電力供給手段のうち一方が、電源に接続されており、他方の電力供給手段へ電力を分配するよう構成されていることを特徴とする遊技機。
【００３４】
手段１２によれば、第１及び第２電力供給手段のうち一方が電源に接続されているため、電源からの電力を取り出すための電源プラグやコードなど、電源から電力を取得するための電力取得機構を一方の電力供給手段のみが具備することになる。したがって、部品点数が少なくなるという点で有利である。
【００３５】
手段１３．手段１２において、前記第１電力供給手段が前記電源に接続されていることを特徴とする遊技機。
【００３６】
第２電力供給手段が電源から電力を取得して第１電力供給手段へ分配するようにすると、第１電力供給手段の変更に伴って、電源からの電力取得機構や第１電力供給手段への電力分配機構に関して、第２電力供給手段の設計変更が必要になる可能性がある。この点、第１電力供給手段が電源から電力を取り出して第２電力供給手段へ分配するようにすれば、第２電力手段へは既知の電力を分配することになるため、第１電力供給手段のみの設計変更を行えばよく、第２電力供給手段の設計変更の必要はなくなる。したがって、手段１３によれば、第１電力供給手段が電源に接続されるているため、第２電力供給手段の設計変更は何ら必要なく、経済的不利益が少なくなる。
【００３７】
手段１４．手段１１乃至１３のいずれかにおいて、前記第１及び第２電力供給手段は、過電流が流れることを防止するための回路遮断機構を具備してなることを特徴とする遊技機。
【００３８】
手段１４に示すように、第１及び第２電力供給手段が回路遮断機構を具備してなる構成としてもよい。回路遮断機構は、過電流が流れることを防止する機構であり、周知のヒューズを用いて構成することが考えられる。これによって、電力供給の適正が確保される。特に、手段１１や手段１３の構成を前提とすれば、制御手段の変更があっても、第２電力供給手段の備える回路遮断機構は何ら変更する必要がない。
【００３９】
手段１５．手段９又は１０において、電源に接続され、前記第１及び第２電力供給手段へ電力を分配する電力分配手段を備えていることを特徴とする遊技機。
【００４０】
手段１５によれば、電力分配手段が、電源に接続されており、第１及び第２電力供給手段へ電力分配を行う。これにより、電源からの電力分配機構が電力供給機構と別になり、電力供給に係る構成が簡単になるという点で有利である。
【００４１】
手段１６．手段１５において、前記電力分配手段は、過電流が流れることを防止するための回路遮断機構を具備してなることを特徴とする遊技機。
【００４２】
手段１６に示すように、電力分配手段が回路遮断機構を具備してなる構成としてもよい。このように回路遮断機構を電力分配手段が具備するようにすれば、回路遮断機構までもが電力供給構成から分離されるため、さらに電力供給に係る構成が簡単になる。
【００４３】
手段１７．手段１５又は１６において、前記電力分配手段は、電源投入を行うための電源スイッチを具備してなるスイッチ基板として構成されていることを特徴とする遊技機。
【００４４】
手段１７に示すように、上述の電力分配手段は、具体的には、電源スイッチを備えるスイッチ基板として構成することが考えられる。
【００４５】
手段１８．手段９乃至１７のいずれかにおいて、前記第２電力供給手段は、電源からの電力が途絶えた場合にもバックアップのための電力供給が可能なバックアップ電源を具備してなることを特徴とする遊技機。
【００４６】
手段１８によれば、遊技盤の交換時にあっても交換されない第２電力供給手段がバックアップ電源を具備しているため、バックアップ電源の再利用が可能となり、経済的不利益が少なくなる。上述したように、バックアップ電源を備える電力供給機構は例えば設計が困難であることや、大型化・コストアップ等が問題となっている。この点、第２電力供給手段がバックアップ電源を備えるようにすれば、第１電力供給手段については、設計が容易になる。また、第１電力供給手段は、バックアップ電源を備える場合に比べてコンパクトになり、コストも抑えられる。つまり、バックアップ電源を第２電力供給手段のみが備える構成とすれば、種々の面でメリットが得られるのである。
【００４７】
手段１９．手段９乃至１８のいずれかにおいて、前記電力供給手段は、電力を昇降圧させて各制御手段に分配する電力供給機構を具備してなる電源基板として構成されていることを特徴とする遊技機。
【００４８】
手段１９に示すように、電力供給手段は、電力を昇降圧させて各制御手段に分配する電源基板として構成することが考えられる。このようにすれば、基板単位の交換を行うことができ、その交換作業が容易になる。
【００４９】
手段２０．手段９乃至１９のいずれかにおいて、第１電力供給手段は、前記遊技盤に取り付けられていることを特徴とする遊技機。
【００５０】
手段２０によれば、第１電力供給手段が遊技盤に取り付けられているため、その交換作業は、遊技盤の交換によって実現され、容易になる。
【００５１】
手段２１．手段９乃至２０のいずれかにおいて、第２電力供給手段は、前記遊技機の枠体に取り付けられていることを特徴とする遊技機。
【００５２】
手段２１によれば、第２電力供給手段が枠体に取り付けられているため、遊技盤を交換しても同時に交換されることはなく、便利である。
【００５３】
手段２２．手段２０又は２１において、前記第１及び第２電力供給手段は、所定位置に配置される電源に対し、より近くなるような位置に取り付けられていることを特徴とする遊技機。
【００５４】
手段２２によれば、電力供給手段は、所定位置に配置される外部の電源に対して、より近くなるような位置に取り付けられているため、配線が容易になるという点で有利である。なお、「より近くなるような位置」としては、例えばひんじ側の上方部分が挙げられる。
【００５５】
手段２３．手段１乃至２２のいずれかにおいて、前記遊技機はパチンコ機であること。中でも、パチンコ機の基本構成としては、「操作ハンドルを備えておりそのハンドル操作に応じて遊技球を遊技盤面上に発射させ、遊技球が遊技盤を流下し、遊技盤に配設された特定の入球手段に入球することに基づいて、所定条件が成立した場合には特別遊技価値が付与されるもの」が挙げられる。
【００５６】
手段２４．手段１乃至２２のいずれかにおいて、遊技機は、回胴式遊技機であること。ここで、回胴式遊技機の構成としては、「複数の識別情報からなる識別情報列を変動表示した後に識別情報を確定表示する可変表示手段を備え、始動用操作手段の操作に起因して識別情報の変動が開始され、停止用操作手段の操作に起因してあるいは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。
【００５７】
手段２５．手段１乃至２２のいずれかにおいて、遊技機は、パチンコ機とスロットマシンとを融合させた遊技機であること。中でも、前記融合させた遊技機の基本構成としては、「複数の識別情報からなる識別情報列を変動表示した後に識別情報を確定表示する可変表示手段を備え、始動用操作手段の操作に起因して識別情報の変動が開始され、停止用操作手段の操作に起因してあるいは所定時間経過することにより識別情報の変動が停止され、その停止時の確定識別情報が特定識別情報であることを必要条件として遊技者に有利な特別遊技状態を発生させる特別遊技状態発生手段を備え、遊技媒体として遊技球を使用するとともに、前記特別遊技状態発生手段にて特別遊技状態が発生させられると、多くの遊技球が払い出されるよう構成されてなる遊技機」となる。
【００５８】
【発明の実施の形態】
以下、パチンコ遊技機（以下、単に「パチンコ機」という）の一実施の形態を、図面に基づいて詳細に説明する。
【００５９】
図１に示すように、パチンコ機１は、外枠２と、該外枠２の前部に設けられ外枠２の一側部にて開閉可能に支持された前面枠３とを備えている。
【００６０】
前面枠３の前面側にはガラス扉枠４が開閉自在に設けられている。前面枠３の後側（ガラス扉枠４の奥、外枠２の内側）には、遊技盤５が着脱可能に装着されている。
【００６１】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００６２】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００６３】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００６４】
さて、可変表示装置１４は、液晶表示部２０と、該液晶表示部２０を囲むように設けられたセンターフレーム２１とを備えている。
【００６５】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００６６】
より詳しくは、可変表示装置１４の下方に設けられた作動チャッカー１３に遊技球Ｂが入球することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００６７】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、ランプ１８や風車等の各種部材（役物）が配設されている。
【００６８】
このように構成されたパチンコ機１は、各種の制御対象を制御する「制御手段」としての複数の制御基板を備えている。
【００６９】
そこで次に、これら制御基板への電力供給の構成について、図２を参照しつつ説明する。
【００７０】
パチンコ機１は、主な制御基板として、払出制御基板３１、発射制御基板３２、主基板３３、表示制御基板３４、ランプ音声制御基板３５を備えている。
【００７１】
払出制御基板３１は、払出ユニットを制御対象とし、普通入賞チャッカー１１、可変入賞装置１２、作動チャッカー１３に遊技球Ｂが入球することに基づく上皿６又は下皿７に対する所定数の景品球（遊技球Ｂ）の払い出し、及び貸球（遊技球Ｂ）の払い出しを制御する。
【００７２】
発射制御基板３２は、上述した遊技球発射装置を制御対象とし、遊技球発射用ハンドル８の回転による遊技球Ｂの発射制御を司る。
【００７３】
表示制御基板３４は、上述した液晶表示部２０を制御対象とし、可変表示装置１４の下方に設けられた作動チャッカー１３への遊技球Ｂの入球があったときに、液晶表示部２０の図柄を、各図柄列毎にスクロール表示する。また、いわゆるリーチ状態発生時や大当たり状態発生時の演出表示なども行う。
【００７４】
ランプ音声制御基板３５は、遊技盤５等に取り付けられた各種ランプ（図１中のランプ１８など）を制御対象とし、遊技状態に合わせてこれらランプの点灯・消灯・点滅などを行う。また、音声出力機構を制御対象とし、遊技に伴う効果音や音声の出力制御を行う。なお、別実施形態として、音声制御基板とランプ制御基板とを、別体として備える構成とすることも考えられる。
【００７５】
そして、主基板３３は、上述した各種制御基板に対し、所定の指令（コマンド）を出力することにより、パチンコ遊技機１の全体の制御を司る。したがって、主基板３３は、払出制御基板３１、発射制御基板３２、表示制御基板３４、ランプ音声制御基板３５などを制御対象とする。
【００７６】
図２は、これら制御基板３１〜３５への電力供給の構成を示す説明図である。
【００７７】
本実施の形態では、制御基板３１〜３５への電力供給のために、枠分電源基板４０及び、機種固有分電源基板５０を備えている。枠分電源基板４０及び機種固有分電源基板５０には、スイッチ基板６０によって、交流電源７０から取得される電力が分配されて入力され、各制御基板３１〜３５への電力供給が行われる。つまり、枠分電源基板４０及び機種固有分電源基板５０は、電力の昇降圧及び、制御基板３１〜３５への電力供給を行う機能を有する。
【００７８】
交流電源７０は、２４Ｖの交流電源である。スイッチ基板６０は、パチンコ機１への電源投入を行うための電源スイッチを備え、さらに、回路遮断機構６１、６２を備えている。回路遮断機構６１、６２は、周知のヒューズを用いて構成されており、過電流が電源基板４０，５０や、その先の制御基板３１〜３５に流れることを防止する。ここで一方の回路遮断機構６１は枠分電源基板４０による電力供給分に対応して設けられており、他方の回路遮断機構６２は機種固有分電源基板５０による電力供給分に対応して設けられている。
【００７９】
枠分電源基板４０は、払出制御基板３１及び主基板３３へ、電力供給を行う。払出制御基板３１からはさらに、発射制御基板３２への電力供給が行われる。また、枠分電源基板４０は、停電時などに、スイッチ基板６０からの電力が途絶えた場合に、払出制御基板３１及び主基板３３をバックアップするためのバックアップ電源４１を備えている。これによって、払出制御基板３１では、払い出される遊技球Ｂの数を停電時にも保持できる。また、主基板３３では、パチンコ機１の状態、例えば大当たり状態などを、停電時にも保持できる。
【００８０】
一方、機種固有分電源基板５０は、表示制御基板３４、ランプ音声制御基板３５へ、電力供給を行う。
【００８１】
次に、これら制御基板３１〜３５及び、電源基板４０，５０、スイッチ基板６０のパチンコ機１における取付位置について説明する。
【００８２】
図３は、パチンコ機１を背面側から見た模式図である。
【００８３】
パチンコ機１は、遊技盤５の背面側に、樹脂材料で形成され、前面枠３に開閉可能に支持された機構盤９０を備えている。
【００８４】
機構盤９０には、タンク８１、タンクレール８２、払出ユニット８３、ケースレール８４、役物カバー８５などが取り付けられている。
【００８５】
タンク８１は、機構盤９０の最上部に取り付けられており、払い出される遊技球Ｂを貯留する。タンクレール８２は、タンク８１の下方に取り付けられ、長尺形状のレールが右側方向へ右下がりに延びており、ケースレール８４へ遊技球Ｂを誘導する。払出ユニット８３は、遊技球Ｂの払い出しを行うための機構であり、ケースレール８４の下方に取り付けられ、賞球と貸球の払い出しを行う機構である。この払出ユニット８３へ遊技球Ｂを誘導するのが、ケースレール８４である。役物カバー８５は、タンクレール８２の下方に取り付けられる四角形状の樹脂製カバーであり、遊技盤５の背面に取り付けられた各種基板等を保護する。
【００８６】
また、機構盤９０には、払出制御基板３１、発射制御基板３２が取り付けられている。後述するように主基板３３は遊技盤５と一体となるよう役物カバー８５の下方に取り付けられているのであるが、この主基板３３の下方に、発射制御基板３２が取り付けられている。そして、払出制御基板３１は、発射制御基板３２と並べて取り付けられている。
【００８７】
そして、本実施の形態では、図３中に破線で示すように、上述した枠分電源基板４０が、役物カバー８５の背面、すなわち遊技盤５に近い側に取り付けられている。役物カバー８５は機構盤９０に取り付けられ、機構盤９０が前面枠３に支持されているため、枠分電源基板４０は、前面枠３と一体に取り付けられることになる。
【００８８】
一方、遊技盤５は、上述したように、前面枠３の後側に着脱可能に装着されている。図４は、遊技盤５を背面側から見た模式図である。
【００８９】
遊技盤５の背面には、各種基板が取り付けられるのであるが、この中に、主基板３３、表示制御基板３４、及びランプ音声制御基板３５が含まれる。
【００９０】
表示制御基板３４は、遊技盤５の中央部分に取り付けられている。ランプ音声制御基板３５は、その長手方向をパチンコ機１の上下方向とするように表示制御基板３４の左方に取り付けられており、表示制御基板３４及びランプ音声制御基板３５の下方に、その長手方向をパチンコ機１の左右方向とするようにして主基板３３が取り付けられている。
【００９１】
なお、これらの制御基板３３〜３５は遊技盤５と一体となっていればよく、遊技盤５自体に取り付けてもよいし、遊技盤５の背面に配置される集合盤９１に取り付けるようにしてもよい。
【００９２】
そして、遊技盤５のひんじ側上方部分に左右に並べるように、機種固有分電源基板５０及びスイッチ基板６０が取り付けられている。つまり、機種固有分電源基板５０及びスイッチ基板６０も、遊技盤５と一体となっている。
【００９３】
次に、本実施の形態のパチンコ機１が発揮する効果を説明する。
【００９４】
本実施の形態では、枠分電源基板４０が、払出制御基板３１及び主基板３３への電力供給を行う。これにより発射制御基板３２へも電力が供給される。一方で、機種固有分電源基板５０が、表示制御基板３４及びランプ音声制御基板３５への電源供給を行う（図２参照）。
【００９５】
表示制御基板３４及びランプ音声制御基板３５は、遊技盤５の背面側に取り付けられ遊技盤５と一体に構成されており（図４参照）、制御内容を変更するための遊技盤５の交換に伴って、同時に交換される。このとき、交換後の遊技盤５に取り付けられた表示制御基板３４及びランプ音声制御基板３５では、制御対象などの変更により、その使用電力が元の制御基板３４，３５とは異なってくる可能性がある。例えば、表示制御基板３４の制御対象である液晶表示部２０が４インチから８インチになるといった液晶表示部２０の大きさの変更や、ランプ音声制御基板３５の制御対象であるランプの個数の変更などで使用電力が変わってくるという具合である。
【００９６】
本実施の形態では、このように遊技盤５の交換によって交換される表示制御基板３４及びランプ音声制御基板３５に対し、機種固有分電源基板５０から電力供給を行うようにしている。これにより、遊技盤５０の交換に伴い交換後の制御基板３４，３５で使用電力が変わった場合、機種固有分電源基板５０のみを交換すればよい。言い換えれば、払出制御基板３１、発射制御基板３２、及び主基板３３への電力供給を行う枠分電源基板４０は遊技盤５が交換されても、そのまま使用することができる。
【００９７】
つまり、機種固有分電源基板５０を交換すれば使用電力と供給電力との不一致をなくすことができ、枠分電源基板４０の交換は必要ない。電源基板が一体構成されている場合には、電源基板全体を交換する必要が生じ、柔軟な対応ができなくなるという問題が生じる。これに対し、本実施の形態では、複数の制御基板３１〜３５のうちの一部の制御基板３４，３５が遊技盤５と共に交換されても、枠分電源基板４０はそのまま利用でき、柔軟な対応が可能になり、結果的に経済的不利益が少なくなる。
【００９８】
また、主基板３３も、上述のように遊技盤５と一体になっており、遊技盤５の交換に伴って交換される。主基板３３が、パチンコ機１の遊技内容を決定するからである。
【００９９】
しかしながら、主基板３３では、使用電力が制御対象によらずにほぼ一定であることが多い。その理由は、他の制御基板３１，３４，３５へのコマンド送信が主であり、可動機構に対する操作は、可変入賞装置１２のソレノイド操作程度であるからである。そこで、本実施の形態では、主基板３３への電力供給は、枠分電源基板４０から行うようにしている。
【０１００】
このように交換後の主基板３３でも使用電力が元の主基板３３とほぼ同一になるという前提の下では、問題になるような供給電力と使用電力との不一致が生じないため、枠分電源基板４０から電力供給を行う構成とすれば、より経済的不利益が少なくなる。
【０１０１】
また、本実施の形態では、スイッチ基板６０が、交流電源７０に接続されており、枠分電源基板４０及び機種固有分電源基板５０への電力分配を行う。これによって、交流電源７０からの電力取得機構と制御基板３１〜３５への電力供給機構とが別になり、枠分電源基板４０や機種固有分電源基板５０の構成が簡単になるという点で有利である。
【０１０２】
このスイッチ基板６０は、さらに、回路遮断機構６１，６２を具備している。したがって、回路遮断機構を枠分電源基板４０や機種固有分電源基板５０に設ける必要がない。また、スイッチ基板６０から枠分電源基板４０への供給電力は遊技盤５が交換されても一定であるため、枠分電源基板４０に対応する一方の回路遮断機構６１については、遊技盤５の交換があってもそのまま使用することができる。
【０１０３】
さらにまた、本実施の形態では、枠分電源基板４０が、バックアップ電源４１を備えている（図２参照）。そして、上述したように、払出制御基板３１における払い出される景品球（遊技球Ｂ）の数を停電時にもバックアップする。また、主基板３３では、パチンコ機１の状態、例えば大当たり状態などを、停電時にもバックアップする。
【０１０４】
そして、遊技盤５の交換時には、機種固有分電源基板５０が交換されることになり、枠分電源基板４０はそのまま使用されるため、バックアップ電源４１の再利用が可能となり、経済的不利益が少なくなる。
【０１０５】
特に、バックアップ電源を備える電力供給機構は設計が困難であることや、大型化・コストアップが問題となっている。構成上、コンデンサーなどが必要となり、その容量計算やそれ自体のコストが発生するからである。この点、本実施の形態では、枠分電源基板４０がバックアップ電源４１を備えているため、機種固有分電源基板５０については、設計が容易になる。また、機種固有分電源基板５０は、バックアップ電源を付けたときに比べてコンパクトになり、コストも抑えられる。
【０１０６】
そして、コンパクト化により、機種固有分電源基板５０を遊技盤５に取り付けることが容易になり、また、遊技盤５に取り付けることによって、遊技盤５の交換作業によって機種固有分電源基板５０を容易に交換することができる。
【０１０７】
一方、枠分電源基板４０は、役物カバー８５の背面に取り付けられており、前面枠３と一体になっている。したがって、遊技盤５を交換しても、枠分電源基板４０が一緒に交換されることはない。つまり、払出制御基板３１、発射制御基板３２、及び主基板３３への電力供給を行う枠分電源基板４０は遊技盤５が交換されても、そのまま使用できることになる。その結果、遊技盤５の交換によって、電力供給機構の適切な交換が実現される。
【０１０８】
この配置構成についてさらに言えば、本実施の形態では、枠分電源基板４０が、役物カバー８５の背面のひんじ側の上方に取り付けられている。一方、機種固有分電源基板５０は、遊技盤５のひんじ側の上方に取り付けられている。これは、交流電源７０のコンセントがパチンコ機１を背面側からみて、ひんじ側に設けられるのが一般的だからであり、上方の方が作業者による作業が容易になるからである。
【０１０９】
また、本実施の形態では、制御基板３１〜３５への電力供給機構を、電源基板として実現している。したがって、基板単位の交換を行うことができ交換作業が容易になる。
【０１１０】
なお、本実施の形態における枠分電源基板４０及び機種固有分電源基板５０で構成される電力供給機構が、［課題を解決するための手段］の欄でいう「個別に交換可能な複数系統の電力供給機構」に相当する。また、枠分電源基板４０が「第２電力供給手段」に相当し、機種固有分電源基板５０が「第１電力供給手段」に相当する。そして、交流電源７０が「電源」に相当し、スイッチ基板６０が「電力分配手段」に相当する。
【０１１１】
以上、本発明はこのような実施の形態に何等限定されるものではなく、本発明の主旨を逸脱しない範囲において種々なる形態で実施し得る。例えば次のように実施してもよい。
【０１１２】
（ａ）上記実施の形態では、主基板３３については、その交換後にも使用電力が同一になることを前提として、枠分電源基板４０から電力供給を行うようにしていた（図２参照）。
【０１１３】
これに対し、主基板３３に、その交換によって使用電力と供給電力との間に不一致が生じる場合、例えば主基板３３が多くの可動機構を制御するような場合には、機種固有分電源基板５０から電力供給を行う構成とすることが考えられる。図５に示す如くである。
【０１１４】
このように主基板３３へも機種固有分電源基板５０から電力供給を行うようにすれば、交換後の主基板３３で使用電力が変わった場合でも対応できる。
【０１１５】
（ｂ）また、上記実施の形態では、交流電源７０にスイッチ基板６０が接続されており、スイッチ基板６０が枠分電源基板４０及び機種固有分電源基板５０への電力分配を行うようになっていた（図２参照）。
【０１１６】
これに対し、図６（ａ）に示すように、枠分電源基板４０及び機種固有分電源基板５０のぞれぞれが、交流電源７０に接続される構成とすることも考えられる。この場合は、電源プラグやコードを含めた電源ユニットの単位で枠分電源基板４０や機種固有分電源基板５０が構成されることになる。したがって、電源基板４０，５０間の電力分配を意識する必要がなくなり、その意味において、設計が簡単になる。
【０１１７】
また、図６（ｂ）に示すように、機種固有分電源基板５０が交流電源７０に接続されるようにし、機種固有分電源基板５０から枠分電源基板４０へ電力分配を行うように構成してもよい。
【０１１８】
このようにすれば、交流電源７０から電力を取り出すための電源プラグやコードなど、交流電源７０からの電力取得機構は、機種固有分電源基板５０だけが備える構成となるため、部品点数が少なくなるという点で有利である。
【０１１９】
またこのとき、機種固有分電源基板５０が交流電源７０から電力を取り出して枠分電源基板４０へ分配するようになっている。枠分電源基板４０への電力分配は、既知の電力の分配となる。したがって、機種固有分電源基板５０の交換時に、機種固有分電源基板５０側で枠分電源基板４０へ分配する電力を考慮に入れればよく、枠分電源基板４０の設計変更は何ら必要ないため、経済的不利益を少なくすることができる。
【０１２０】
（ｃ）上記（ｂ）で説明した構成においては、図６（ａ）及び（ｂ）に示すように、枠分電源基板４０及び機種固有分電源基板５０がそれぞれ、回路遮断機構４２，５２を備える構成とすることが考えられる。
【０１２１】
このとき、枠分電源基板４０に分配される電力は遊技盤５の交換によって何ら変わらないため、枠分電源基板４０の備える回路遮断機構４２については、遊技盤５の交換があってもそのまま使用できる。
【０１２２】
（ｄ）上記実施の形態では、上記実施の形態とは異なるタイプのパチンコ機にも適用してもよい。従って、可変表示装置１４のないパチンコ機にも応用できる。また、本発明は、パチンコ機以外にも雀球、アレンジボール等の遊技機にも応用可能である。さらに、スロットマシン、パチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【０１２３】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１２４】
なお、スロットマシンや、パチンコ機とスロットマシンが融合した遊技機においては、例えば、遊技機の外形となる筐体部分が「外体」であり、図柄変動部分を含む遊技内容の導出部分を備える部分が「内体」に相当することになる。
【図面の簡単な説明】
【図１】一実施の形態におけるパチンコ機を示す正面図である。
【図２】制御基板への電力供給を示す説明図である。
【図３】パチンコ機の背面における制御基板の配置を示す模式図である。
【図４】遊技盤の背面における制御基板の配置を示す模式図である。
【図５】別実施形態における制御基板への電力供給を示す説明図である。
【図６】別実施形態における電源からの電力分配を示す説明図である。
【符号の説明】
１…遊技機としてのパチンコ機、５…遊技盤、１３…作動チャッカー、１４…可変表示装置、２０…液晶表示部、２１…センターフレーム、３１…払出制御基板、３２…発射制御基板、３３…主基板、３４…表示制御基板、３５…ランプ音声制御基板、４０…第２電力供給手段としての枠分電源基板、４１…バックアップ電源、４２…回路遮断機構、５０…第１電力供給手段としての機種固有分電源基板、５２…回路遮断機構、６０…電力分配手段としてのスイッチ基板、６１，６２…回路遮断機構、７０…電源としての交流電源。
【図１】
2004105535.tif 000003
【図２】
2004105535.tif 000004
【図３】
2004105535.tif 000005
【図４】
2004105535.tif 000006
【図５】
2004105535.tif 000007
【図６】
2004105535.tif 000008